(57)【特許請求の範囲】
【請求項１】
入力手段と表示手段と記憶手段とを備える診療支援装置であって、
前記記憶手段は、患者の診療情報を保持する診療情報ファイルと、シェーマ原図を保持するシェーママスタファイルと、患者別のシェーマ図を保持するシェーマ記録ファイルとを記憶し、
前記シェーマ原図を選択するためのシェーマ選択手段と、
前記シェーマ選択手段において選択されたシェーマ原図を前記表示手段の表示画面上の編集領域に表示し、表示された前記シェーマ原図を複数の入力ツールによって編集するシェーマ編集手段と、
前記シェーマ編集手段において編集された前記シェーマ原図を患者別の前記シェーマ図として、患者の前記診療情報に関連付けて前記シェーマ記録ファイルに登録する記憶制御手段と、
を備え、
前記シェーマ編集手段は、前記シェーマ選択手段によって選択された前記シェーマ原図と、ユーザによって指定された前記複数の入力ツールとを、その起動順とともに短縮入力ツールとして登録し、前記短縮入力ツールが指示されたことに応じて、登録された前記シェーマ原図を表示し、前記指定された複数の前記入力ツールを登録された順に起動する
ことを特徴とする診療支援装置。
【請求項２】
請求項１に記載の診療支援装置において、
前記シェーマ編集手段は、前記短縮入力ツールとして登録された前記複数の入力ツールのうちの一つの入力ツールを起動したとき、所定のイベントを検知してその入力ツールの作業を終了し、作業が終了した入力ツールの次の入力ツールを起動する
ことを特徴とする診療支援装置。
【請求項３】
請求項２に記載の診療支援装置において、
前記シェーマ編集手段は、前記イベントとして前記複数の入力ツールの各入力ツールに応じた所定の入力操作を検知する
ことを特徴とする診療支援装置。
【請求項４】
請求項２に記載の診療支援装置において、
前記シェーマ編集手段は、前記イベントとして所定時間無入力状態が続いたことを検知し、前記複数の入力ツールの各入力ツールを終了させる
ことを特徴とする診療支援装置。
【発明の詳細な説明】
【技術分野】
【０００１】
本発明は、患者の診療情報を電子的に記録する診療支援装置に関する。
【背景技術】
【０００２】
医療機関において、患者に対する治療内容等を記録する診療支援装置いわゆる電子カルテ装置が普及しつつある。この診療支援装置では、医師が患者を診療した際に診立てた患者の傷病名や患者の主訴や医師の所見、経過等のデータ、及び患者に実施した処置、処方、検査等の治療内容を表す診療データを記録する。これらのデータは患者別の診療データファイルに記録する。また、これらのデータは数値や記号、コメントといったデータであるが、これらとは別にシェーマ図と呼ぶ患部画像を患者のカルテ即ち患者の診療情報に関連付けて記録することもある。手書きのカルテであれば、カルテの余白部分に医師が患部の様子を手書き、あるいは人体模式図のスタンプを押してそこに手書きしていた。電子カルテではあらかじめ身体各部の模式図つまりシェーマ図を用意しておき、医師は必要に応じてシェーマ図を呼び出して画面に表示させ、そこにマークやコメントを記入して保存するようにしていた（特許文献１参照）。
【特許文献１】特開２０００−７６３６２
【発明の開示】
【発明が解決しようとする課題】
【０００３】
このように従来は、シェーマ図を選んだ後、文字入力や直線描画、エアブラシやスタンプといった各種の入力ツール（入力機能）を使ってコメントやマークをシェーマ図に追記し、それを患者のカルテに関連付けて記録することができた。また、その場合、シェーマ図を選択した後、シェーマ図にスタンプを押したり、患部を示すために色付けしたりする作業は、医師によって、あるいは部位によって幾つかのほぼ決まった順序（パターン）を経ることが多い。そこで、本願は、シェーマ図選択から文字入力や色付け作業を経て記録するまでの一連の作業をパターン登録できるようにして、医師が１つ１つの入力ツールを指定しなくても作業が進められるようにした診療支援装置を提供することを目的とする。
【課題を解決するための手段】
【０００４】
本発明は、シェーマ原図を選択するためのシェーマ選択手段と、シェーマ選択手段において選択されたシェーマ原図を表示手段の表示画面上の編集領域に表示し、表示されたシェーマ原図を複数の入力ツールによって編集するシェーマ編集手段と、シェーマ編集手段において編集されたシェーマ原図を患者別のシェーマ図として、患者の診療情報に関連付けてシェーマ記録ファイルに登録する記憶制御手段と、を備え、シェーマ編集手段は、シェーマ選択手段によって選択されたシェーマ原図と、ユーザによって指定された複数の入力ツールとを、その起動順とともに短縮入力ツールとして登録し、短縮入力ツールが指示されたことに応じて、登録されたシェーマ原図を表示し、指定された複数の入力ツールを登録された順に起動することで、上記課題を解決するものである。 
【発明の効果】
【０００５】
本発明の診療支援装置によれば、登録された入力ツールが登録された順に起動されるので、ユーザは各種の入力ツールを指定したり切り替えたりすることなく、シェーマ編集領域の中だけでカーソルを動かして純粋に入力作業だけを進めることができるようになるので、ユーザの使い勝手が格段に向上する。
【発明を実施するための最良の形態】
【０００６】
本発明の実施の形態における診療支援装置の構成を図１に示す。１１は文字等のデータ入力手段としてのキーボード、１２は位置指示手段としてのマウス装置、１３はＬＣＤ等の表示装置、１４は表示装置１３を表示制御する表示制御部、１５は一時記憶手段としてのＲＡＭ、１６はＲＯＭ、２０はハードディスクドライブ等の記憶装置で構成したファイル装置、１７はファイル装置２０の入出力を制御するファイル制御部、１０はキーボード１１やマウス１２からの入力を受け付けるとともに、表示制御部１４やファイル制御部１７を制御するシステム制御部である。ファイル装置２０にはシェーママスタファイル２１、シェーマ記録ファイル２２、定型句ファイル２３、診療情報ファイル２４及び各種のプログラムファイル２５を記憶している。
【０００７】
シェーママスタファイル２１には多数のシェーマ原図が記録されていて、必要に応じて読み出される。シェーマ記録ファイル２２には、シェーマ原図を基にして患者個別に加工したシェーマ図が患者の診療情報とリンクを取る形で記録される。定型句ファイル２３にはカルテやシェーマ図に記入するための各種の定型句が記録されている。
【０００８】
診療支援装置はパーソナルコンピュータ等の一般のコンピュータを基本ハードウェアとすることができる。そして、本装置に特有の機能を奏するプログラムを予めＲＯＭ１６あるいはファイル装置２０にインストールしておいてもよいし、ＣＤ−ＲＯＭ等の記憶媒体に格納して供給してもよい。あるいはネットワークを介してダウンロード可能にしてもよい。全体制御装置が同プログラムを導入して実行することで本装置に特有の機能を発揮する。
【０００９】
図４乃至図６は本装置のシェーマ編集画面３０の表示例である。左側はシェーマ図選択領域３１であり、シェーマ原図ファイルから読み出した各種のシェーマ図が、呼吸器系や循環器系といったカテゴリ別のフォルダ単位にサムネイルでリスト表示される。使用者はここで所望のシェーマ原図を選択する。その際、システム制御部１０はキーボード１１、マウス１２、表示制御部１４、ファイル制御部１７及びシェーママスタファイル２１とともにシェーマ選択手段として機能する。
【００１０】
また、右側はシェーマ編集領域３３であり、シェーマ図選択領域３１で選択したシェーマ図が表示される。ここで患部を赤く塗ったり、丸で囲ったり、スタンプを押すなどの編集加工を施すことができる。その際、システム制御部１０はキーボード１１、マウス１２、表示制御部１４とともにシェーマ編集手段として機能する。
また、シェーマ編集領域３３の右側に枠で囲って示したのが入力ツール領域３４であり、ここには、文字列を入力するための文字入力ツールや、シェーマに色を吹き付けるエアブラシツール、スタンプを押すためのスタンプツール、その他、円や直線を描画するためのツールが、それぞれのアイコンで表示されている。
また、シェーマ編集領域３３の下側にあるのが短縮入力ツール領域３５であり、本実施形態では８つのアイコンを用意して、それぞれに所望の入力ツールを複数個、起動順も含めて登録できるようにしている。既にツールが登録されているアイコン即ち短縮入力ツール領域３５はその名称が表示されており、例えば、「青ペン−３」のようにユーザが付けた分かり易い名称が表示されている。何も表示されていないアイコンはまだ何も登録されていない空のアイコンである。
【００１１】
また、システム制御部１０は、指示に応じて編集中のシェーマ図を、診療情報ファイル２４に記録されている当該患者の診療情報とリンクを張るようにしてシェーマ記録ファイル２２に記録する。その際、システム制御部１０は、ファイル制御部１７及びシェーマ記録ファイル２２とともに記憶制御手段として機能する。
【００１２】
次に、図２、図３のフローチャート及び図４乃至図６の表示例を参照して本実施形態の動作を説明する。先ず、入力パターンを登録する一例として、胸部のシェーマ図を選んでスタンプツールでスタンプを押し、最後に患部を示すためにエアブラシツールで色を付ける一連の作業を、短縮入力ツールに登録する手順を説明する。
【００１３】
ユーザは先ず、シェーマ図選択領域３１で所望のシェーマ図（胸部のシェーマ図）をマウスの右ボタンをクリックして選択する（ステップＳ２１）。これに応じてシェーマ編集手段は、選択されたシェーマ図の近傍にメニューを表示する。ユーザは表示されたメニューから「自動遷移機能として追加」を指示する。これに応じてシェーマ編集手段は、空の短縮入力ツールを一つ選んでそのシェーマ図を登録する（ステップＳ２２）。この場合、シェーマ編集手段は８個のアイコンのうち、上段のアイコンを左から右へ、次に下段のアイコンを左から右へ参照して空のアイコン即ち短縮入力ツールを探す。
【００１４】
次に、ユーザはスタンプツールをマウスの右ボタンをクリックして選択する（ステップＳ２３）。これに応じてシェーマ編集手段は、選択されたスタンプツールの近傍にメニュー３６を表示するので、ユーザは先ほどと同様に「自動遷移機能として追加」を指示する。これに応じてシェーマ編集手段は先ほど選択した短縮入力ツールに、先に登録したシェーマ図の後に続くようにスタンプツールを登録する（ステップＳ２４）。
次に、ユーザはエアブラシツールをマウスの右ボタンをクリックして選択する。これに応じてシェーマ編集手段は、選択されたエアブラシツールを先ほどと同様に短縮入力ツールに登録する。最後にユーザがＯＫボタンを押すと（ステップＳ２５；はい）、シェーマ編集手段はアイコンに付ける名称の入力ウインドウを表示して名称の入力を受け付けるとともに（ステップＳ２６）、そのアイコンに関連付けて一連のツール、この場合、胸部のシェーマ図とスタンプツールとエアブラシツールをこの順に登録する（ステップＳ２７）。また、ここではアイコンの名称を「胸−スタ−エア」と付けたものとする。これにより、この「胸−スタ−エア」アイコンをクリックすることで短縮入力ツールが呼び出されて、登録された一連の入力ツールを順に起動するようになる。
次に、短縮入力ツールを使ってシェーマ図を登録する動作を説明する。ユーザが「胸−スタ−エア」アイコンをクリックすると、これに応じてシェーマ編集手段は、当該短縮入力ツールに１番目に登録された胸部のシェーマ図をシェーママスタファイル２１から読み出してシェーマ編集領域３３に表示する（ステップＳ３１）。その際、入力ツール領域３４には、通常の表示に代えて、その短縮入力ツールに登録された入力ツールを表示する（ステップＳ３２）。そして、次に登録されているスタンプツールを起動する（ステップＳ３３）。
【００１５】
そこで、ユーザは、マウスを使ってシェーマ図上のスタンプを押したい所望の位置を指示入力する。シェーマ編集手段は、これに応じて、次のツールであるエアブラシツールを起動する。そこで、ユーザは、患部を示すためにエアブラシツールを使ってシェーマ図上の所望に位置に色を塗る。この場合、ユーザは、マウスカーソルを所望の位置に移動してボタンを押し、エアブラシで色を吹き付けるように色を塗る。
【００１６】
その後、シェーマ編集手段は、マウスのボタンが所定時間押されていないことを検知すると、エアブラシの処理が終了したものと判断し、そのシェーマ図を患者の診療データに関連付けて記録し、一連の短縮入力作業を終了する（ステップＳ３４；いいえ）。尚、各入力ツールによる作業の終了は、所定のイベントが生じたことに応じて判定するものであり、終了判定に供されるイベントとしては、例えば、キーボードの所定のキーが押された場合や、画面上で所定のボタンが押された（指示された）場合、所定の時間キー入力が無かった場合やボタン入力が無かった場合等、それぞれの入力ツールの特性に応じてあらかじめ設定されているものとする。
このように、本実施形態によれば、ユーザは最初に「胸−スタ−エア」アイコンをクリックして短縮入力ツールを指定すれば、その後は、スタンプツールやエアブラシツールを指定したり、切り替えたりする必要はなく、登録された入力ツールが登録された順に起動されるので、シェーマ編集領域３３の中だけでカーソルを動かして純粋に入力作業だけを進めることができるようになるので、ユーザの使い勝手が格段に向上するものである。
【図面の簡単な説明】
【００１７】
【図１】実施形態装置の構成を示すブロック図である。
【図２】実施形態における短縮入力を登録する手順を説明するフローチャートである。
【図３】実施形態における短縮入力の手順を説明するフローチャートである。
【図４】実施形態のシェーマ図編集時の画面表示例を示す図である。
【図５】実施形態のシェーマ図編集時の画面表示例を示す図である。
【図６】実施形態のシェーマ図編集時の画面表示例を示す図である。
【符号の説明】
【００１８】
１０  システム制御部
１１  キーボード
１２  マウス
１３  表示装置
１４  表示制御部
１７  ファイル制御部
２０  ファイル装置
２１  シェーママスタファイル
２２  シェーマ記録ファイル
２３  定型句ファイル
３０  シェーマ編集画面
３１  シェーマ図選択領域
３３  右側はシェーマ編集領域
３４  入力ツール領域
３５  短縮入力ツール領域
３６  メニュー
【図１】
0005784344.tif 000002
【図２】
0005784344.tif 000003
【図３】
0005784344.tif 000004
【図４】
0005784344.tif 000005
【図５】
0005784344.tif 000006
【図６】
0005784344.tif 000007